(57)【特許請求の範囲】
【請求項１】
第１被取付面と、該第１被取付面に直交する第２被取付面と、該第２被取付面に直交する第３被取付面とを備え、前記第１被取付面と前記第２被取付面の直交する部分が出隅となり、前記第２被取付面と前記第３被取付面の直交する部分が入隅となり、前記出隅と前記入隅が近接し、前記出隅に取り付けられる出隅用水切であって、
前記出隅用水切は、出隅基台と出隅立ち上がり面を備え、
前記出隅基台は、左側上面と、右側上面と、該左側上面に連続する左側前面と、該右側上面に連続する右側前面と、該左側前面と該右側前面に連続する底面を備え、
前記出隅立ち上がり面は、前記第１被取付面に取り付けられ前記左側上面に連続する左側出隅立ち上がり面と、前記第２被取付面に取り付けられ前記右側上面に連続する右側出隅立ち上がり面を備え、
前記出隅基台の右側上面と右側前面と底面で形成される右側出隅開口端部が、第１の重なり幅をもって、前記入隅に取り付けられる入隅用水切の入隅基台の左側上面と左側前面と底面で形成される左側入隅開口端部に嵌め込まれ、前記右側出隅立ち上がり面が前記入隅用水切の左側入隅立ち上がり面と第２の重なり幅をもって重なるようになっていることを特徴とする出隅用水切。
【請求項２】
前記出隅基台の右側前面の高さは、前記入隅基台の左側前面の高さより大きく、前記右側出隅開口端部が、前記左側入隅開口端部の外側に嵌め込まれることを特徴とする請求項１記載の出隅用水切。
【請求項３】
前記右側出隅立ち上がり面は、前記右側出隅開口端部より前記入隅側に突出し、第２の重なり幅は前記第１の重なり幅より大きいことを特徴とする請求項１又は請求項２記載の出隅用水切。
【請求項４】
第１被取付面と、該第１被取付面に直交する第２被取付面と、該第２被取付面に直交する第３被取付面とを備え、前記第１被取付面と前記第２被取付面の直交する部分が出隅となり、前記第２被取付面と前記第３被取付面の直交する部分が入隅となり、前記出隅と前記入隅が近接し、前記入隅に取り付けられる入隅用水切であって、
前記入隅用水切は、入隅基台と入隅立ち上がり面を備え、
前記入隅基台は、左側上面と、右側上面と、該左側上面に連続する左側前面と、該右側上面に連続する右側前面と、該左側前面と該右側前面に連続する底面を備え、
前記入隅立ち上がり面は、前記第２被取付面に取り付けられ前記左側上面に連続する左側入隅立ち上がり面と、前記第３被取付面に取り付けられ前記右側上面に連続する右側入隅立ち上がり面を備え、
前記入隅基台の左側上面と左側前面と前記底面で形成される左側入隅開口端部が、第１の重なり幅をもって、前記出隅に取り付けられる出隅用水切の出隅基台の右側上面と右側前面と底面で形成される右側出隅開口端部に嵌め込まれ、前記左側入隅立ち上がり面が前記出隅用水切の右側出隅立ち上がり面と第２の重なり幅をもって重なるようになっていることを特徴とする入隅用水切。
【請求項５】
第１被取付面と、該第１被取付面に直交する第２被取付面と、該第２被取付面に直交する第３被取付面とを備え、前記第１被取付面と前記第２被取付面の直交する部分が出隅となり、前記第２被取付面と前記第３被取付面の直交する部分が入隅となり、前記出隅と前記入隅が近接し、前記出隅に取り付けられる出隅用水切と前記入隅に取り付けられる入隅用水切を組み合わせた組合せ水切であって、
前記出隅用水切は、出隅基台と出隅立ち上がり面を備え、
前記出隅基台は、左側上面と、右側上面と、該左側上面に連続する左側前面と、該右側上面に連続する右側前面と、該左側前面と該右側前面に連続する底面を備え、
前記出隅立ち上がり面は、前記第１被取付面に取り付けられ前記出隅基台の左側上面に連続する左側出隅立ち上がり面と、前記第２被取付面に取り付けられ前記出隅基台の右側上面に連続する右側出隅立ち上がり面を備え、
前記入隅用水切は、入隅基台と入隅立ち上がり面を備え、
前記入隅基台は、左側上面と、右側上面と、該左側上面に連続する左側前面と、該右側上面に連続する右側前面と、該左側前面と該右側前面に連続する底面を備え、
前記入隅立ち上がり面は、前記第２被取付面に取り付けられ前記入隅基台の左側上面に連続する左側入隅立ち上がり面と、前記第３被取付面に取り付けられ前記入隅基台の右側上面に連続する右側入隅立ち上がり面を備え、
前記出隅基台の右側上面と右側前面と底面で形成される右側出隅開口端部が、第１の重なり幅をもって、前記入隅基台の左側上面と左側前面と底面で形成される左側入隅開口端部に嵌め込まれ、前記右側出隅立ち上がり面が前記左側入隅立ち上がり面と第２の重なり幅をもって重なり、前記第１の重なり幅と第２の重なり幅は、調整できるようになっていることを特徴とする組合せ水切。
【請求項６】
前記出隅基台の右側前面の高さは、前記入隅基台の左側前面の高さより大きく、前記右側出隅開口端部が、前記左側入隅開口端部の外側に嵌め込まれることを特徴とする請求項５記載の組合せ水切。
【請求項７】
前記右側出隅立ち上がり面は、前記右側出隅開口端部より前記入隅側に突出し、第２の重なり幅は前記第１の重なり幅より大きいことを特徴とする請求項５又は請求項６記載の組合せ水切。
【発明の詳細な説明】
【技術分野】
【０００１】
本発明は、土台や、上階が下階よりもせり出しているベランダ、バルコニー等の部分の出隅と入隅に取り付けられる出隅用水切、入隅用水切及び組合せ水切に関するものである。
【背景技術】
【０００２】
住宅等の建物においては、土台、あるいは、上階が下階よりもせり出しているオーバーハングのせり出し部分（以下適宜「せり出し部分」という。）、例えば、ベランダやバルコニーには、雨水が、土台やせり出し部分の下端に回り込まないように、水切が取り付けられる。
この水切が取り付けられる土台やせり出し部分は、通常、直線部分と、出隅、入隅と呼ばれるコーナー部分等からなり、水切も、直線部分に取り付けられる水切本体と、出隅に取り付けられる出隅用水切、入隅に取り付けられる入隅用水切がある。
そして、土台やせり出し部分に水切を取り付ける際には、水切が連続するように、水切本体、出隅用水切及び入隅用水切が組み合わされるが、出隅から入隅までの長さは建物の土台やせり出し部分毎に異なっている。
このため、水切を取り付ける土台やせり出し部分毎に、水切本体、出隅用水切及び入隅用水切の長さの調整する必要があり、この調整作業には技術と手間がかかるのみならず、調整を誤ると連続した水切を取り付けることができないという問題が生ずる。
【０００３】
この点、特許文献１（特開２００３−２３９４１２号公報）には、土台のコーナーを除く直線部に土台水切を設置し、土台の出隅又は入隅のコーナーに、上記土台水切の長手方向端部と連結するコーナー部材を設置し、該コーナー部材と上記土台水切の水返し部長手方向端部とを相互にスライド封止自在とすることによって土台水切の長さ寸法の変化を吸収自在とした建物防蟻装置が提案されている。
しかしながら、特許文献１では、土台の出隅又は入隅のコーナーにおいて、土台水切の長手方向端部とコーナー部材がスライド自在に連結されるものの、出隅と入隅が近接した土台にあっては、出隅に設置するコーナー部材と入隅に設置するコーナー部材が干渉し、土台水切の長手方向端部とコーナー部材を連結することができず、土台に連続した水切（建物防蟻装置）を設置できない。
また、特許文献２（特開２０１０−１８９９２号公報）には、建造物のコーナー部分に設置され、基台と立ち上がり面からなる出隅用の土台水切であって、被覆設用土台水切に覆設用土台水切を覆設して組み合わせるものであり、被覆設用土台水切の基台の前面は、覆設用土台水切の基台の前面に比して低く形成される２コーナー用の組み合わせ土台水切が提案されている。
しかしながら、特許文献２の組み合わせ土台水切は、出隅同士が近接するコーナー部分に設置されるものであって、出隅と入隅が近接するコーナー部分には設置できない。
【先行技術文献】
【特許文献】
【０００４】
【特許文献１】特開２００３−２３９４１２号公報
【特許文献２】特開２０１０−１８９９２号公報
【発明の概要】
【発明が解決しようとする課題】
【０００５】
本発明が解決しようとする課題は、建物の土台やオーバーハングのせり出し部分の被取付面に取り付けられる水切であって、出隅と入隅が近接した土台やせり出し部分の被取付面に、水切の長さの調整を行うことなく容易に連続した水切が取り付けられるようにすることである。
【課題を解決するための手段】
【０００６】
請求項１の発明は、第１被取付面と、該第１被取付面に直交する第２被取付面と、該第２被取付面に直交する第３被取付面とを備え、前記第１被取付面と前記第２被取付面の直交する部分が出隅となり、前記第２被取付面と前記第３被取付面の直交する部分が入隅となり、前記出隅と前記入隅が近接し、前記出隅に取り付けられる出隅用水切であって、前記出隅用水切は、出隅基台と出隅立ち上がり面を備え、前記出隅基台は、左側上面と、右側上面と、該左側上面に連続する左側前面と、該右側上面に連続する右側前面と、該左側前面と該右側前面に連続する底面を備え、前記出隅立ち上がり面は、前記第１被取付面に取り付けられ前記左側上面に連続する左側出隅立ち上がり面と、前記第２被取付面に取り付けられ前記右側上面に連続する右側出隅立ち上がり面を備え、前記出隅基台の右側上面と右側前面と底面で形成される右側出隅開口端部が、第１の重なり幅をもって、前記入隅に取り付けられる入隅用水切の入隅基台の左側上面と左側前面と底面で形成される左側入隅開口端部に嵌め込まれ、前記右側出隅立ち上がり面が前記入隅用水切の左側入隅立ち上がり面と第２の重なり幅をもって重なるようになっている出隅用水切を提供して、上記課題を解決するものである。
【０００７】
請求項２の発明は、前記出隅基台の右側前面の高さは、前記入隅基台の左側前面の高さより大きく、前記右側出隅開口端部が、前記左側入隅開口端部の外側に嵌め込まれる出隅用水切を提供して、上記課題を解決するものである。
【０００８】
請求項３の発明は、前記右側出隅立ち上がり面は、前記右側出隅開口端部より前記入隅側に突出し、第２の重なり幅は前記第１の重なり幅より大きい出隅用水切を提供して、上記課題を解決するものである。
【０００９】
請求項４の発明は、第１被取付面と、該第１被取付面に直交する第２被取付面と、該第２被取付面に直交する第３被取付面とを備え、前記第１被取付面と前記第２被取付面の直交する部分が出隅となり、前記第２被取付面と前記第３被取付面の直交する部分が入隅となり、前記出隅と前記入隅が近接し、前記入隅に取り付けられる入隅用水切であって、前記入隅用水切は、入隅基台と入隅立ち上がり面を備え、前記入隅基台は、左側上面と、右側上面と、該左側上面に連続する左側前面と、該右側上面に連続する右側前面と、該左側前面と該右側前面に連続する底面を備え、前記入隅立ち上がり面は、前記第２被取付面に取り付けられ前記左側上面に連続する左側入隅立ち上がり面と、前記第３被取付面に取り付けられ前記右側上面に連続する右側入隅立ち上がり面を備え、前記入隅基台の左側上面と左側前面と前記底面で形成される左側入隅開口端部が、第１の重なり幅をもって、前記出隅に取り付けられる出隅用水切の出隅基台の右側上面と右側前面と底面で形成される右側出隅開口端部に嵌め込まれ、前記左側入隅立ち上がり面が前記出隅用水切の右側出隅立ち上がり面と第２の重なり幅をもって重なるようになっている入隅用水切を提供して、上記課題を解決するものである。
【００１０】
請求項５の発明は、第１被取付面と、該第１被取付面に直交する第２被取付面と、該第２被取付面に直交する第３被取付面とを備え、前記第１被取付面と前記第２被取付面の直交する部分が出隅となり、前記第２被取付面と前記第３被取付面の直交する部分が入隅となり、前記出隅と前記入隅が近接し、前記出隅に取り付けられる出隅用水切と前記入隅に取り付けられる入隅用水切を組み合わせた組合せ水切であって、前記出隅用水切は、出隅基台と出隅立ち上がり面を備え、前記出隅基台は、左側上面と、右側上面と、該左側上面に連続する左側前面と、該右側上面に連続する右側前面と、該左側前面と該右側前面に連続する底面を備え、前記出隅立ち上がり面は、前記第１被取付面に取り付けられ前記出隅基台の左側上面に連続する左側出隅立ち上がり面と、前記第２被取付面に取り付けられ前記出隅基台の右側上面に連続する右側出隅立ち上がり面を備え、前記入隅用水切は、入隅基台と入隅立ち上がり面を備え、前記入隅基台は、左側上面と、右側上面と、該左側上面に連続する左側前面と、該右側上面に連続する右側前面と、該左側前面と該右側前面に連続する底面を備え、前記入隅立ち上がり面は、前記第２被取付面に取り付けられ前記入隅基台の左側上面に連続する左側入隅立ち上がり面と、前記第３被取付面に取り付けられ前記入隅基台の右側上面に連続する右側入隅立ち上がり面を備え、前記出隅基台の右側上面と右側前面と底面で形成される右側出隅開口端部が、第１の重なり幅をもって、前記入隅基台の左側上面と左側前面と底面で形成される左側入隅開口端部に嵌め込まれ、前記右側出隅立ち上がり面が前記左側入隅立ち上がり面と第２の重なり幅をもって重なり、前記第１の重なり幅と第２の重なり幅は、調整できるようになっている組合せ水切を提供して、上記課題を解決するものである。
【００１１】
請求項６の発明は、前記出隅基台の右側前面の高さは、前記入隅基台の左側前面の高さより大きく、前記右側出隅開口端部が、前記左側入隅開口端部の外側に嵌め込まれる組合せ水切を提供して、上記課題を解決するものである。
【００１２】
請求項７の発明は、前記右側出隅立ち上がり面は、前記右側出隅開口端部より前記入隅側に突出し、第２の重なり幅は前記第１の重なり幅より大きい組合せ水切を提供して、上記課題を解決するものである。
【発明の効果】
【００１３】
請求項１に記載の発明の出隅用水切においては、出隅と入隅が近接した土台やせり出し部分の被取付面に、入隅用水切と組み合わせて、水切の長さの調整を行うことなく容易に連続した水切が取り付けられるという効果を奏する。
本発明が解決しようとする課題は、建物の土台やオーバーハングのせり出し部分の被取付面に取り付けられる水切であって、出隅と入隅が近接した土台やせり出し部分の被取付面に、水切の長さの調整を行うことなく容易に連続した水切が取り付けられるようにすることである。
【００１４】
請求項２に記載の発明の出隅用水切においては、さらに、見栄えをよくすると共に、出隅用水切と組み合わされる入隅用水切の底面への水滴の回り込みを完全に防止できるという効果を奏する。
【００１５】
請求項３に記載の発明の出隅用水切においては、さらに、出隅用水切と組み合わされる入隅用水切と同時に取り付けることができ、取付作業の負荷が軽減されるという効果を奏する。
【００１６】
請求項４に記載の発明の入隅用水切においては、出隅と入隅が近接した土台やせり出し部分の被取付面に、出隅用水切と組み合わせて、水切の長さの調整を行うことなく容易に連続した水切が取り付けられるという効果を奏する。
【００１７】
請求項５に記載の発明の組合せ水切においては、出隅と入隅が近接した土台やせり出し部分の被取付面に、出隅用水切と入隅用水切を組み合わせて、水切の長さの調整を行うことなく容易に連続した水切が取り付けられるという効果を奏する。
【００１８】
請求項６に記載の発明の組合せ水切においては、さらに、見栄えをよくすると共に、入隅用水切の底面への水滴の回り込みを完全に防止できるという効果を奏する。
【００１９】
請求項７に記載の発明の組合せ水切においては、さらに、出隅用水切と入隅用水切と同時に取り付けることができ、取付作業の負荷が軽減されるという効果を奏する。
【図面の簡単な説明】
【００２０】
【図１】本発明の実施形態のうち土台に使用される出隅用水切の正面側からみた斜視図である。
【図２】図１に示す出隅用水切の背面側からみた斜視図である。
【図３】図１のＡ−Ａ断面図である。
【図４】金属板を水平方向の折り曲げ線（横折線）に沿って折り曲げた組み立て途中の状態の出隅用水切の正面側からみた斜視図である。
【図５】図４に示す組み立て途中の状態の出隅用水切の背面側からみた斜視図である。
【図６】本発明の実施形態のうち土台に使用される入隅用水切の正面側からみた斜視図である。
【図７】図６に示す入隅用水切の背面側からみた斜視図である。
【図８】図６のＢ−Ｂ断面図である。
【図９】金属板を水平方向の折り曲げ線（横折線）に沿って折り曲げた組み立て途中の状態の入隅用水切の正面側からみた斜視図である。
【図１０】図９に示す組み立て途中の状態の入隅用水切の背面側からみた斜視図である。
【図１１】土台に使用される出隅用水切１と入隅用水切２を組み合わせた組合せ水切の正面側からみた斜視図である。
【図１２】図１１に示す組合せ水切の背面側からみた斜視図である。
【図１３】図１１のＣ−Ｃ拡大断面図である。
【図１４】右側出隅開口端部１５と左側入隅開口端部２５の一部が重なった状態と全部が重なった状態における組合せ水切ＫＭ１の正面図である。
【図１５】組合せ水切ＫＭ１を土台の出隅と入隅に取り付けられた状態の斜視図である。
【図１６】本発明の実施形態のうち土台に使用される出隅用水切の他の例の正面側からみた斜視図である。
【図１７】出隅用水切１’と入隅用水切２が組み合わされた組合せ水切の正面側からみた斜視図である。
【図１８】右側出隅開口端部１５と左側入隅開口端部２５の一部が重なった状態と全部が重なった状態における組合せ水切ＫＭ１’の正面図である。
【図１９】本発明の実施形態のうちオーバーハングのせり出し部分に使用される出隅用水切の正面側からみた斜視図である。
【図２０】図１９に示す出隅用水切の背面側からみた斜視図である。
【図２１】図１９のＤ−Ｄ断面図である。
【図２２】本発明の実施形態のうちオーバーハングのせり出し部分に使用される入隅用水切の正面側からみた斜視図である。
【図２３】図２２に示す入隅用水切の背面側からみた斜視図である。
【図２４】図２２のＥ−Ｅ断面図である。
【図２５】オーバーハングのせり出し部分に使用される出隅用水切３と入隅用水切４を組み合わせた組合せ水切の正面側からみた斜視図である。
【図２６】図２５に示す組合せ水切の背面側からみた斜視図である。
【図２７】図２５のＦ−Ｆ拡大断面図である。
【図２８】右側出隅開口端部３５と左側入隅開口端部４５の一部が重なった状態と全部が重なった状態における組合せ水切ＫＭ２の正面図である。
【図２９】組合せ水切ＫＭ２をオーバーハングのせり出し部分の出隅と入隅に取り付けられた状態の斜視図である。
【図３０】土台に使用される組合せ水切ＫＭ１、ＫＭ１’と組み合わせて使用される水切本体の斜視図である。
【発明を実施するための形態】
【００２１】
［土台に使用される出隅用水切の構成］
図１は、本発明の実施形態のうち土台に使用される出隅用水切の正面側からみた斜視図、図２は、図１に示す出隅用水切の背面側からみた斜視図、図３は、図１のＡ−Ａ断面図である。
図中、１は出隅用水切、１０は出隅基台、１１は上面、１１ａは左側上面、１１ｂは右側上面、１１ｃは中央上面、１２は前面、１２ａは左側前面、１２ｂは右側前面、１２ｃは中央前面、１３は底面、１３ａは左側底面、１３ｂは右側底面、１３ａｆ、１３ｂｆは傾斜面、１４は出隅立ち上がり面、１４ａは左側出隅立ち上がり面、１４ｂは右側出隅立ち上がり面、１４ｃは折り重ね面、１５は右側出隅開口端部であり、各図において、Ｘは出隅用水切１の右側前面１２ｂの長手方向に沿った方向、Ｙは出隅用水切１の左側前面１２ａの長手方向に沿った方向、Ｚは水平面と垂直方向である。
図１、図２に示すように、出隅用水切１は、出隅基台１０と出隅立ち上がり面１４から構成される。
出隅基台１０は、上面１１、前面１２及び底面１３から構成され、上面１１は、下方に傾斜した左側上面１１ａ、右側上面１１ｂ及び中央上面１１ｃからなり、前面１２は、水平面に垂直な左側前面１２ａ、右側前面１２ｂ及び中央前面１２ｃからなり、底面１３は、左側底面１３ａ、右側底面１３ｂ、傾斜面１３ａｆ、１３ｂｆからなる。
また、出隅立ち上がり面１４は、左側出隅立ち上がり面１４ａ、右側出隅立ち上がり面１４ｂ及び折り重ね面１４ｃから構成される。
そして、出隅基台１０のＸ方向側の端部には、右側上面１１ｂ、右側前面１２ｂ及び右側底面１３ｂからなる右側出隅開口端部１５（図１、図２に灰色で示す部分）が形成され、右側出隅立ち上がり面１４ｂは、右側出隅開口端部１５からＸ方向に突出せず、右側出隅立ち上がり面１４ｂのＸ方向端縁と右側上面１１ｂのＸ方向端縁は一致し、左側出隅立ち上がり面１４ａのＹ方向端縁と左側上面１１ｂのＹ方向端縁も一致している。
この場合、底面１３の前面１２側は、下方に傾斜した傾斜面１３ａｆ、１３ｂｆとなって、立ち上がり面１４、出隅基台１０に沿って流れ落ちる水滴が、底面１３側に回り込まないようにされており、傾斜面１３ａｆ、１３ｂｆを除く左側底面１３ａ、右側底面１３ｂはほぼ水平となっている。
【００２２】
［出隅用水切の組立成形］
出隅用水切１は、鉄、アルミ等からなる薄い１枚の金属板を折り曲げて組立成形されたものであり、本実施形態では、金属板として、厚さが約０．２ｍｍ〜０．５ｍｍの鋼板を使用している。
図４は、金属板を水平方向の折り曲げ線（横折線）に沿って折り曲げた組み立て途中の状態の出隅用水切の正面側からみた斜視図、図５は、図４に示す組み立て途中の状態の出隅用水切の背面側からみた斜視図であり、図中、ｙ１１ａ、ｙ１１ｂ、ｙ１２ａ〜ｙ１２ｃ、ｙ１３ａ、ｙ１３ｂ、ｙ１４ａ、ｙ１４ｂは横折線、ｔ１１〜ｔ１３は縦折線であり、横折線は水平方向の折り曲げ線、縦折線は垂直方向の折り曲げ線となる。
出隅用水切１の組立においては、横折線ｙ１１ａ、横折線ｙ１１ｂに沿って左側上面１１ａ、右側上面１１ｂから左側出隅立ち上がり面１４ａ、右側出隅立ち上がり面１４ｂが起立する方向に折り曲げられ、横折線ｙ１２ａ、ｙ１２ｂ、ｙ１２ｃに沿って左側前面１２ａ、右側前面１２ｂ、中央前面１２ｃから左側上面１１ａ、右側上面１１ｂ、中央上面１１ｃが折り曲げられ、横折線ｙ１３ａ、ｙ１３ｂに沿って左側前面１２ａ、右側前面１２ｂから左側底面１３ａ、右側底面１３ｂが折り曲げられ、横折線ｙ１４ａ、ｙ１４ｂに沿って左側底面１３ａ、右側底面１３ｂから傾斜面１３ａｋ、１３ｂｋが折り曲げられ、図４、図５に示すような状態に組立成形される。
次いで、左側上面１１ａ、左側前面１２ａ及び左側底面１３ａからなる略コの字の部分と、右側上面１１ｂ、右側前面１２ｂ及び右側底面１３ｂからなる略コの字の部分が、縦折線ｔ１１、ｔ１２に沿って互いに近づく方向に折り曲げられ、折り重ね面１４ｃが縦折線ｔ１３に沿って折り曲げられて、右側出隅立ち上がり面１４ｂに折り重ねられ、図１、図２に示す出隅用水切１が組立成形される。
これより、左側出隅立ち上がり面１４ａと出隅基台１０の左側上面１１ａが連続し、右側出隅立ち上がり面１４ｂと出隅基台１０の右側上面１１ｂが連続し、左側出隅立ち上がり面１４ａと右側出隅立ち上がり面１４ｂは直交している。
また、出隅基台１０において、左側前面１２ａの上下側に左側上面１１ａと左側底面１３ａが連続し、右側前面１２ｂの上下側に右側上面１１ｂと右側底面１３ｂが連続し、中央前面１２ｃの左右側に左側前面１２ａと右側前面１２ｂが連続し、中央前面１２ｃの上側に中央上面１１ｃが連続することとなる。
【００２３】
［土台に使用される入隅用水切の構成］
図６は、本発明の実施形態のうち土台に使用される入隅用水切の正面側からみた斜視図、図７は、図６に示す入隅用水切の背面側からみた斜視図、図８は、図６のＢ−Ｂ断面図である。
図中、２は入隅用水切、２０は入隅基台、２１は上面、２１ａは左側上面、２１ｂは右側上面、２２は前面、２２ａは左側前面、２２ｂは右側前面、２３は底面、２３ａは左側底面、２３ｂは右側底面、２３ａｆ、２３ｂｆは傾斜面、２４は入隅立ち上がり面、２４ａは左側入隅立ち上がり面、２４ｂは右側入隅立ち上がり面、２５は左側入隅開口端部であり、各図において、Ｘは左側入隅立ち上がり面２４ａの長手方向に沿った方向、Ｙは右側入隅立ち上がり面２４ｂの長手方向に沿った方向、Ｚは水平面と垂直方向である。
図６、図７に示すように、入隅用水切２は、入隅基台２０と入隅立ち上がり面２４から構成される。
入隅基台２０は、上面２１、前面２２及び底面２３から構成され、上面２１は、下方に傾斜した左側上面２１ａと右側上面２１ｂからなり、前面２２は、水平面に垂直な左側前面２２ａと右側前面２２ｂからなり、底面２３は、左側底面２３ａ、右側底面２３ｂ、傾斜面２３ａｆ、２３ｂｆからなる。
また、入隅立ち上がり面２４は、左側入隅立ち上がり面２４ａと右側入隅立ち上がり面２４ｂから構成される。
そして、入隅基台２０のＸ方向側の端部には、左側上面２１ａ、左側前面２２ａ及び左側底面２３ａからなる左側入隅開口端部２５（図６、図７に灰色で示す部分）が形成され、左側入隅立ち上がり面２４ａのＸ方向端部と左側上面２１ａのＸ方向端部は一致し、右側入隅立ち上がり面２４ｂのＹ方向端部と右側上面２１ｂのＸ方向端部も一致している。
この場合、底面２３の前面２２側は、下方に傾斜した傾斜面２３ａｆ、２３ｂｆとなって、立ち上がり面２４、入隅基台２０に沿って流れ落ちる水滴が、底面２３側に回り込まないようにされている。
さらに、傾斜面２３ａｆ、２３ｂｆを除く左側底面２３ａ、右側底面２３ｂも傾斜面２３ａｆ、２３ｂｆ側が下方に傾斜している。これは、流れ落ちる水滴は、出隅より入隅の方が底面に回り込みやすいことから、傾斜面２３ａｆ、２３ｂｆだけでなく、傾斜面２３ａｆ、２３ｂｆに連続する底面２３（左側底面２３ａ、右側底面２３ｂ）の部分も傾斜させて、水滴の回り込みを完全に防止するためである。
【００２４】
［入隅用水切の組立成形］
入隅用水切２は、出隅用水切１と同様に、鉄、アルミ等からなる薄い１枚の金属板を折り曲げて組立成形されたものであり、本実施形態では、金属板として、厚さが約０．２ｍｍ〜０．５ｍｍの鋼板を使用している。
図９は、金属板を水平方向の折り曲げ線（横折線）に沿って折り曲げた組み立て途中の状態の入隅用水切の正面側からみた斜視図、図１０は、図９に示す組み立て途中の状態の入隅用水切の背面側からみた斜視図であり、図中、ｙ２１ａ、ｙ２１ｂ、ｙ２２ａ、ｙ２２ｂ、ｙ２３ａ、ｙ２３ｂ、ｙ２４ａ、ｙ２４ｂは横折線、ｔ２１は縦折線であり、横折線は水平方向の折り曲げ線、縦折線は垂直方向の折り曲げ線となる。
入隅用水切２の組立においては、横折線ｙ２１ａ、横折線ｙ２１ｂに沿って左側入隅立ち上がり面２４ａ、右側入隅立ち上がり面２４ｂから左側上面２１ａ、右側上面２１ｂが折り曲げられ、横折線ｙ２２ａ、ｙ２２ｂに沿って左側上面２１ａ、右側上面２１ｂから左側前面２２ａ、右側前面２２ｂが折り曲げられ、横折線ｙ２３ａ、ｙ２３ｂに沿って左側前面１２ａ、右側前面１２ｂから左側底面２３ａ、右側底面２３ｂが折り曲げられ、横折線ｙ２４ａ、ｙ２４ｂに沿って左側底面２３ａ、右側底面２３ｂから傾斜面２３ａｆ、２３ｂｆが折り曲げられ、図９、図１０に示すような状態に組立成形される。
次いで、左側上面２１ａ、左側前面２２ａ及び左側底面２３ａからなる略コの字の部分と、右側上面２１ｂ、右側前面２２ｂ及び右側底面２３ｂからなる略コの字の部分が、縦折線ｔ２１に沿って互いに近づく方向に折り曲げられ、左側底面２３ａと右側底面２３ｂの一部が重ねられ、図６、図７に示す入隅用水切２が組立成形される。
これより、左側入隅立ち上がり面２４ａと入隅基台２０の左側上面２１ａが連続し、右側入隅立ち上がり面２４ｂと入隅基台２０の右側上面２１ｂが連続し、左側入隅立ち上がり面２４ａと右側入隅立ち上がり面２４ｂが直角に連続することとなる。
また、入隅基台２０において、左側前面２２ａの上下側に左側上面２１ａと左側底面２３ａが連続し、右側前面２２ｂの上下側に右側上面２１ｂと右側底面２３ｂが連続することとなる。
【００２５】
［土台に使用される組合せ水切］
図１１は、土台に使用される出隅用水切１と入隅用水切２を組み合わせた組合せ水切の正面側からみた斜視図、図１２は、図１１に示す組合せ水切の背面側からみた斜視図、図１３は、図１１のＣ−Ｃ拡大断面図である。
図中、ＫＭ１は組合せ水切、１２ｂｔは右側前面１２ｂの端縁であり、各図において、Ｘは出隅用水切１の右側前面１２ｂの長手方向に沿った方向、Ｙは出隅用水切１の左側前面１２ａの長手方向に沿った方向、Ｚは水平面と垂直方向である。
組合せ水切ＫＭ１は、出隅用水切１と入隅用水切２が組み合わされたものであり、出隅用水切１の出隅基台１０の端部に形成される右側出隅開口端部１５が、入隅用水切２の入隅基台２０の端部に形成される左側入隅開口端部２５に嵌め込まれることにより形成される。
この場合、図１３に示すように、出隅基台１０の右側前面１２ｂの高さｈ１１は、入隅基台２０の左側前面２２ａの高さｈ１２より０．５ｍｍ〜２ｍｍ大きく、出隅基台１０の右側出隅開口端部１５が、入隅基台２０の左側入隅開口端部２５の外側に嵌め込まれることとなる。
そして、右側出隅開口端部１５が左側入隅開口端部２５に嵌め込まれることにより、出隅基台１０の右側上面１１ｂ、右側前面１２ｂ、右側底面１３ｂが、それぞれ入隅基台２０の左側上面２１ａ、左側前面２２ａ、左側底面２３ａと重なり、また、右側出隅立ち上がり面１４ｂが左側入隅立ち上がり面２４ａと重なることとなる。
このように出隅基台１０の右側出隅開口端部１５が、入隅基台２０の左側入隅開口端部２５の外側に嵌め込まれるようにするのは、組合せ水切ＫＭ１の見栄えをよくすると共に、入隅用水切２の底面２３（左側底面２３ａ、右側底面２３ｂ）を傾斜させた状態で右側出隅開口端部１５を左側入隅開口端部２５に嵌め込み、入隅用水切２の底面２３への水滴の回り込みを完全に防止するためである。
【００２６】
図１４（ａ）は、右側出隅開口端部１５と左側入隅開口端部２５の一部が重なった状態における組合せ水切ＫＭ１の正面図、同図（ｂ）は、右側出隅開口端部１５と左側入隅開口端部２５の全部が重なった状態における組合せ水切ＫＭ１の正面図であり、図中、ＯＬ１１は第１の重ね合わせ部分（図において濃い網点で示す）、ＯＬ１２は第２の重ね合わせ部分（図において薄い網点で示す）、ｗ１１は第１の重なり幅、ｗ１２は第２の重なり幅である。
組合せ水切ＫＭ１においては、右側出隅開口端部１５が左側入隅開口端部２５の外側に嵌め込また状態で、両者が重なった位置から出隅基台１０の右側前面１２ｂの端縁１２ｂｔが入隅基台２０の右側前面２２ｂに当たる位置まで、出隅用水切１と入隅用水切２がＸ方向に相対移動できることとなる。
これにより、右側出隅開口端部１５と左側入隅開口端部２５が重なる第１の重ね合わせ部分ＯＬ１１のＸ方向の長さである第１の重なり幅ｗ１１は、変化し（図１４（ａ）参照）、出隅基台１０の右側前面１２ｂの端縁１２ｂｔが入隅基台２０の右側前面２２ｂに当たる位置にきたときに最大値Ｗ１１となる（図１４（ｂ）参照）。
また、右側出隅立ち上がり面１４ｂは、右側出隅開口端部１５からＸ方向に突出せず、右そのＸ方向端縁と右側上面１１ｂのＸ方向端縁は一致していることから、右側出隅立ち上がり面１４ｂと左側入隅立ち上がり面２４ａが重なる第２の重ね合わせ部分ＯＬ１２のＸ方向の長さである第２の重なり幅ｗ１２は、第１の重なり幅ｗ１１と同じとなり、その最大値はＷ１２（＝Ｗ１）となる。
そして、右側出隅立ち上がり面１４ｂの左側出隅立ち上がり面１４ａ側の端縁から、左側入隅立ち上がり面２４ａの右側入隅立ち上がり面２４ｂ側の端縁までの距離ｌ１は、第２の重なり幅ｗ１２（第１の重なり幅ｗ１１）の変化に伴って変化し（図１４（ａ）参照）、第２の重なり幅ｗ１２（第１の重なり幅ｗ１１）が最大となったときに、最小値Ｌ１となる（図１４（ｂ）参照）。
【００２７】
図１５は、組合せ水切ＫＭ１を土台の出隅と入隅に取り付けられた状態の斜視図であり、図中、ＦＤは土台、Ｆ１１は第１被取付面、Ｆ１２は第２被取付面、Ｆ１３は第３被取付面、ＤＳ１は出隅、ＩＳ１は入隅であり、図において、Ｘは第２被取付面Ｆ１２の水平方向に沿った方向、Ｙは、第１被取付面Ｆ１１（第３被取付面Ｆ１３）の水平方向に沿った方向、Ｚは水平面と垂直方向である。
図１５に示すように、土台ＦＤは、第１被取付面Ｆ１１と、第１被取付面Ｆ１１に直交する第２被取付面Ｆ１２と、第２被取付面Ｆ１２に直交する第３被取付面Ｆ１３を備え、第１被取付面Ｆ１１と第２被取付面Ｆ１２の直交する部分が出隅ＤＳ１となり、第２被取付面Ｆ１２と第３被取付面Ｆ１３の直交する部分が入隅ＩＳ１となり、出隅ＤＳ１と入隅ＩＳ１は近接している。
土台ＦＤの出隅ＤＳ１には、組合せ水切ＫＭ１の出隅用水切１が取り付けられ、土台ＦＤの入隅ＩＳ１には、組合せ水切ＫＭ１の入隅水切２が取り付けられる。
具体的には、出隅用水切１の左側出隅立ち上がり面１４ａが、木ねじ等により第１被取付面Ｆ１１に取付固定され、出隅用水切１の右側出隅立ち上がり面１４ｂが、木ねじ等により第２被取付面Ｆ１２に取付固定され、入隅用水切２の左側入隅立ち上がり面２４ａが、木ねじ等により第２被取付面Ｆ１２に取付固定され、入隅用水切２の右側入隅立ち上がり面２４ｂが、木ねじ等により第３被取付面Ｆ１３に取付固定される。
組合せ水切ＫＭ１を土台ＦＤに取り付けるに際しては、組合せ水切ＫＭ１において、右側出隅立ち上がり面１４ｂの端縁から左側入隅立ち上がり面２４ａの端縁までの距離ｌ１が、第２被取付面Ｆ２のＸ方向の長さと一致するように、第１の重なり幅ｗ１１（第２の重なり幅ｗ１２）が調整される。
この場合、組合せ水切ＫＭ１が取り付けられる土台ＦＤとしては、第２被取付面Ｆ１２のＸ方向の長さが４０ｍｍ〜２００ｍｍの出隅ＤＳ１と入隅ＩＳ１が近接した土台が好ましい。
【００２８】
［土台に使用される出隅用水切の他の例］
図１６は、本発明の実施形態のうち土台に使用される出隅用水切の他の例の正面側からみた斜視図である。
図中、１’は出隅用水切、１４’は出隅立ち上がり面、１４ａ’は左側出隅立ち上がり面、１４ｂ’は右側出隅立ち上がり面、１４ｃ’は折り重ね面であり、図１に示す出隅用水切１と同じ構成のものには同一の符号を付す。
出隅用水切１’は、図１に示す出隅用水切１と出隅立ち上がり面の構成が異なるのみで、他の構成は出隅用水切１と同じである。
すなわち、出隅用水切１’において、出隅立ち上がり面１４’は、左側出隅立ち上がり面１４ａ’、右側出隅立ち上がり面１４ｂ’及び折り重ね面１４ｃ’から構成され、左側出隅立ち上がり面１４ａ’のＹ方向端縁は左側上面１１ｂのＹ方向端縁より突出し、右側出隅立ち上がり面１４ｂ’も、右側上面１１ｂのＸ方向端縁から突出し、すなわち、右側出隅開口端部１５からＸ方向に突出している。
この出隅用水切１’は、図６等に示す入隅用水切２と組み合わされて組合せ水切が構成される。
図１７は、出隅用水切１’と入隅用水切２が組み合わされた組合せ水切の正面側からみた斜視図であり、図中、ＫＭ１’は組合せ水切である。
組合せ水切ＫＭ１’においては、組合せ水切ＫＭ１と同様に、出隅用水切１’の出隅基台１０の端部に形成される右側出隅開口端部１５が、入隅用水切２の入隅基台２０の端部に形成される左側入隅開口端部２５の外側に嵌め込まれることにより形成される。
【００２９】
図１８（ａ）は、右側出隅開口端部１５と左側入隅開口端部２５の一部が重なった状態における組合せ水切ＫＭ１’の正面図、同図（ｂ）は、右側出隅開口端部１５と左側入隅開口端部２５の全部が重なった状態における組合せ水切ＫＭ１’の正面図であり、図中、ＯＬ１２’は第２の重ね合わせ部分（図において薄い網点で示す）、ｗ１２’は第２の重なり幅であり、組合せ水切ＫＭ１（図１４）と同じ部分には同一の符号を付する。
組合せ水切ＫＭ１’においては、組合せ水切ＫＭ１と同様に、右側出隅開口端部１５が左側入隅開口端部２５の外側に嵌め込また状態で、両者が重なった位置から出隅基台１０の右側前面１２ｂの端縁１２ｂｔが入隅基台２０の右側前面２２ｂに当たる位置まで、出隅用水切１と入隅用水切２がＸ方向に相対移動できることとなる。
これにより、組合せ水切ＫＭ１と同様に、右側出隅開口端部１５と左側入隅開口端部２５が重なる第１の重ね合わせ部分ＯＬ１１のＸ方向の長さである第１の重なり幅ｗ１１は、変化し（図１８（ａ）参照）、出隅基台１０の右側前面１２ｂの端縁１２ｂｔが入隅基台２０の右側前面２２ｂに当たる位置にきたときに最大値Ｗ１１となる（図１８（ｂ）参照）。
一方、右側出隅立ち上がり面１４ｂ’は、組合せ水切ＫＭ１の右側出隅立ち上がり面１４ｂと異なり、右側出隅開口端部１５からＸ方向に突出していることから、右側出隅立ち上がり面１４ｂ’と左側入隅立ち上がり面２４ａが重なる第２の重ね合わせ部分ＯＬ１２’のＸ方向の長さである第２の重なり幅ｗ１２’は、第１の重なり幅ｗ１１より右側出隅立ち上がり面１４ｂ’が突出している分だけ大きくなり、その最大値はＷ１２’（＞Ｗ１１）となる。
そして、組合せ水切ＫＭ１と同様に、右側出隅立ち上がり面１４ｂ’の左側出隅立ち上がり面１４ａ’側の端縁から、左側入隅立ち上がり面２４ａの右側入隅立ち上がり面２４ｂ側の端縁までの距離ｌ１は、第２の重なり幅ｗ１２’（第１の重なり幅ｗ１１）の変化に伴って変化し（図１８（ａ）参照）、第２の重なり幅ｗ１２’（第１の重なり幅ｗ１１）が最大となったときに、最小値Ｌ１となる（図１８（ｂ）参照）。
【００３０】
組合せ水切ＫＭ１’は、組合せ水切ＫＭ１と同様に、図１５に示す土台ＦＤに取り付けられるが、その際、出隅ＤＳ１には、組合せ水切ＫＭ１’の出隅用水切１’が取り付けられ、土台ＦＤの入隅ＩＳ１には、組合せ水切ＫＭ１’の入隅水切２が取り付けられる。
この場合、組合せ水切ＫＭ１と同様に、出隅用水切１’の左側出隅立ち上がり面１４ａ’が、木ねじ等により第１被取付面Ｆ１１に取付固定され、入隅用水切２の右側入隅立ち上がり面２４ｂが、木ねじ等により第３被取付面Ｆ１３に取付固定される。
一方、組合せ水切ＫＭ１と異なり、出隅用水切１’の右側出隅立ち上がり面１４ｂ’と入隅用水切２の左側入隅立ち上がり面２４ａの重なり幅（第２の重なり幅ｗ１２’）は大きいから、第２の重ね合わせ部分ＯＬ１２’に木ねじ等がねじ込まれ、右側出隅立ち上がり面１４ｂ’と左側入隅立ち上がり面２４ａが同時に第２被取付面Ｆ１２に取付固定され、これにより取付作業の負荷が軽減される。
組合せ水切ＫＭ１’を土台ＦＤに取り付けるに際しては、組合せ水切ＫＭ１と同様に、組合せ水切ＫＭ１’において、右側出隅立ち上がり面１４ｂ’の端縁から左側入隅立ち上がり面２４ａの端縁までの距離ｌ１が、第２被取付面Ｆ１２のＸ方向の長さと一致するように、第１の重なり幅ｗ１１（第２の重なり幅ｗ１２’）が調整される。
【００３１】
［オーバーハングのせり出し部分に使用される出隅用水切］
図１９は、本発明の実施形態のうちオーバーハングのせり出し部分に使用される出隅用水切の正面側からみた斜視図、図２０は、図１９に示す出隅用水切の背面側からみた斜視図、図２１は、図１９のＤ−Ｄ断面図である。
図中、３は出隅用水切、３０は出隅基台、３１は上面、３１ａは左側上面、３１ｂは右側上面、３２は前面、３２ａは左側前面、３２ｂは右側前面、３３は底面、３３ａは左側底面、３３ｂは右側底面、３３ａｆ、３３ｂｆは傾斜面、３３ａｒ、３３ｂｒは直立面、３４は出隅立ち上がり面、３４ａは左側出隅立ち上がり面、３４ｂは右側出隅立ち上がり面、３４ｃは折り重ね面、３５は右側出隅開口端部であり、各図において、Ｘは出隅用水切１の右側前面３２ｂの長手方向に沿った方向、Ｙは出隅用水切１の左側前面３２ａの長手方向に沿った方向、Ｚは水平面と垂直方向である。
図１９、図２０に示すように、出隅用水切３は、土台に使用される出隅水切１と同様に、出隅基台３０と出隅立ち上がり面３４から構成される。
出隅基台３０は、上面３１、前面３２及び底面３３から構成され、上面３１は、下方に傾斜した左側上面３１ａと右側上面３１ｂからなり、前面３２は、水平面に垂直な左側前面３２ａと右側前面３２ｂからなり、底面３３は、左側底面３３ａ、右側底面３３ｂ、傾斜面３３ａｆ、３３ｂｆ、直立面３３ａｒ、３３ｂｒからなる。
また、出隅立ち上がり面３４は、左側出隅立ち上がり面３４ａ、右側出隅立ち上がり面３４ｂ及び折り重ね面３４ｃから構成される。
そして、出隅基台３０のＸ方向側の端部には、右側上面３１ｂ、右側前面３２ｂ及び右側底面３３ｂからなる右側出隅開口端部３５（図１９、図２０に灰色で示す部分）が形成され、左側出隅立ち上がり面３４ａのＹ方向端縁は左側上面３１ｂのＹ方向端縁より突出し、右側出隅立ち上がり面３４ｂも、右側上面３１ｂのＸ方向端縁から突出し、すなわち、右側出隅開口端部３５からＸ方向に突出している。
この場合、底面３３の前面３３側は、下方に傾斜した傾斜面３３ａｆ、１３ｂｆとなっており、立ち上がり面３４、出隅基台３０に沿って流れ落ちる水滴が、底面３３側に回り込まないようにされており、底面３３の後側のコーナー部分には、逆Ｌ字状の直立面３３ａｒ、３３ｂｒが形成されている。
【００３２】
出隅用水切３は、出隅用水切１と同様に、鉄、アルミ等からなる薄い１枚の金属板を折り曲げて組立成形されたものであり、本実施形態では、金属板として、厚さが約０．２ｍｍ〜０．５ｍｍの鋼板を使用している。
そして、左側出隅立ち上がり面３４ａと出隅基台３０の左側上面３１ａが連続し、右側出隅立ち上がり面３４ｂと出隅基台３０の右側上面３１ｂが連続し、左側出隅立ち上がり面３４ａと右側出隅立ち上がり面３４ｂは直交している。
また、出隅基台３０において、左側前面３２ａの上下側に左側上面３１ａと左側底面３３ａが連続し、右側前面３２ｂの上下側に右側上面３１ｂと右側底面３３ｂが連続し、左側前面３２ａと、右側前面３２ｂが連続している。
【００３３】
［オーバーハングのせり出し部分に使用される入隅用水切］
図２２は、本発明の実施形態のうちオーバーハングのせり出し部分に使用される入隅用水切の正面側からみた斜視図、図２３は、図２２に示す入隅用水切の背面側からみた斜視図、図２４は、図２２のＥ−Ｅ断面図である。
図中、４は入隅用水切、４０は入隅基台、４１は上面、４１ａは左側上面、４１ｂは右側上面、４２は前面、４２ａは左側前面、４２ｂは右側前面、４３は底面、４３ａは左側底面、４３ｂは右側底面、４３ａｆ、４３ｂｆは傾斜面、４３ａｒ、４３ｂｒは直立面、４４は入隅立ち上がり面、４４ａは左側入隅立ち上がり面、４４ｂは右側入隅立ち上がり面、４５は左側入隅開口端部であり、各図において、Ｘは左側入隅立ち上がり面４４ａの長手方向に沿った方向、Ｙは右側入隅立ち上がり面４４ｂの長手方向に沿った方向、Ｚは水平面と垂直方向である。
図２２、図２３に示すように、入隅用水切４は、入隅用水切２と同様に入隅基台４０と入隅立ち上がり面４４から構成される。
入隅基台４０は、上面４１、前面４２及び底面４３から構成され、上面４１は、下方に傾斜した左側上面４１ａと右側上面４１ｂからなり、前面４２は、水平面に垂直な左側前面４２ａと右側前面４２ｂからなり、底面４３は、左側底面４３ａ、右側底面４３ｂ、傾斜面４３ａｆ、４３ｂｆ、直立面４３ａｒ、４３ｂｒからなる。
また、入隅立ち上がり面４４は、左側入隅立ち上がり面４４ａと右側入隅立ち上がり面４４ｂから構成される。
そして、入隅基台４０のＸ方向側の端部には、左側上面４１ａ、左側前面４２ａ及び左側底面４３ａからなる左側入隅開口端部４５（図２２、図２３に灰色で示す部分）が形成され、左側入隅立ち上がり面４４ａのＸ方向端部と左側上面４１ａのＸ方向端部は一致し、右側入隅立ち上がり面４４ｂのＹ方向端部と右側上面４１ｂのＸ方向端部も一致している。
この場合、底面４３の前面４２側は、下方に傾斜した傾斜面４３ａｆ、４３ｂｆとなって、立ち上がり面４４、入隅基台４０に沿って流れ落ちる水滴が、底面４３側に回り込まないようにされており、左側底面４３ａの傾斜面４３ａｆと反対側には、逆Ｌ字状の直立面４３ａｒが形成され、右側底面４３ｂの傾斜面４３ｂｆと反対側にも、逆Ｌ字状の直立面４３ｂｒが形成されている。
【００３４】
入隅用水切４は、入隅用水切２と同様に、鉄、アルミ等からなる薄い１枚の金属板を折り曲げて組立成形されたものであり、本実施形態では、金属板として、厚さが約０．２ｍｍ〜０．５ｍｍの鋼板を使用している。
そして、左側入隅立ち上がり面４４ａと入隅基台４０の左側上面４１ａが連続し、右側入隅立ち上がり面４４ｂと入隅基台４０の右側上面４１ｂが連続している。
また、入隅基台４０において、左側前面４２ａの上下側に左側上面４１ａと左側底面４３ａが連続し、右側前面４２ｂの上下側に右側上面４１ｂと右側底面４３ｂが連続している。
【００３５】
［オーバーハングのせり出し部分に使用される組合せ水切］
図２５は、オーバーハングのせり出し部分に使用される出隅用水切３と入隅用水切４を組み合わせた組合せ水切の正面側からみた斜視図、図２６は、図２５に示す組合せ水切の背面側からみた斜視図、図２７は、図２５のＦ−Ｆ拡大断面図である。
図中、ＫＭ２は組合せ水切、３２ｂｔは右側前面１２ｂの端縁、３３ａｔは左側底面３３ａの端縁、４３ａｔは左側底面４３ａの端縁であり、各図において、Ｘは出隅用水切３の右側前面３２ｂの長手方向に沿った方向、Ｙは出隅用水切３の左側前面３２ａの長手方向に沿った方向、Ｚは水平面と垂直方向である。
組合せ水切ＫＭ２は、出隅用水切３と入隅用水切３が組み合わされたものであり、出隅用水切３の出隅基台３０の端部に形成される右側出隅開口端部３５が、入隅用水切４の入隅基台４０の端部に形成される左側入隅開口端部４５に嵌め込まれることにより形成される。
この場合、図２７に示すように、出隅基台３０の右側前面３２ｂの高さｈ２１は、入隅基台４０の左側前面４２ａの高さｈ２２２より０．５ｍｍ〜２ｍｍ大きく、出隅基台３０の右側出隅開口端部３５が、入隅基台４０の左側入隅開口端部４５の外側に嵌め込まれることとなる。
そして、右側出隅開口端部３５が左側入隅開口端部４５に嵌め込まれることにより、出隅基台３０の右側上面３１ｂ、右側前面３２ｂ、右側底面３３ｂが、それぞれ入隅基台４０の左側上面４１ａ、左側前面４２ａ、左側底面４３ａと重なり、また、右側出隅立ち上がり面３４ｂが左側入隅立ち上がり面４４ａと重なることとなる。
このように出隅基台３０の右側出隅開口端部３５が、入隅基台４０の左側入隅開口端部４５の外側に嵌め込まれるようにするのは、組合せ水切ＫＭ２の見栄えをよくすると共に、入隅用水切４の底面４３（左側底面４３ａ、右側底面４３ｂ）の直立面４３ａｒ、４３ｂｒを、出隅用水切３の底面３３（左側底面３３ａ、右側底面３３ｂ）の直立面３３ａｒ、３３ｂｒの内側に嵌め込むようにするためである。
【００３６】
図２８（ａ）は、右側出隅開口端部３５と左側入隅開口端部４５の一部が重なった状態における組合せ水切ＫＭ２の正面図、同図（ｂ）は、右側出隅開口端部３５と左側入隅開口端部４５の全部が重なった状態における組合せ水切ＫＭ２の正面図であり、図中、ＯＬ２１は第１の重ね合わせ部分（図において濃い網点で示す）、ＯＬ２２は第２の重ね合わせ部分（図において薄い網点で示す）、ｗ２１は第１の重なり幅、ｗ２２は第２の重なり幅である。
組合せ水切ＫＭ２においては、組合せ水切ＫＭ１、ＫＭ１’と同様に、右側出隅開口端部３５が左側入隅開口端部４５の外側に嵌め込また状態で、両者が重なった位置から出隅基台３０の右側前面３２ｂの端縁３２ｂｔが入隅基台４０の右側前面４２ｂに当たる位置まで、出隅用水切３と入隅用水切４がＸ方向に相対移動できることとなる。
これにより、組合せ水切ＫＭ１、ＫＭ１’と同様に、右側出隅開口端部３５と左側入隅開口端部４５が重なる第１の重ね合わせ部分ＯＬ２１のＸ方向の長さである第１の重なり幅ｗ２１は、変化し（図２８（ａ）参照）、出隅基台３０の右側前面３２ｂの端縁３２ｂｔが入隅基台４０の右側前面４２ｂに当たる位置にきたときに最大値Ｗ２１となる（図２８（ｂ）参照）。
一方、右側出隅立ち上がり面３４ｂは、組合せ水切ＫＭ１’と同様に、右側出隅開口端部３５からＸ方向に突出していることから、右側出隅立ち上がり面３４ｂと左側入隅立ち上がり面４４ａが重なる第２の重ね合わせ部分ＯＬ２２のＸ方向の長さである第２の重なり幅ｗ２２は、第１の重なり幅ｗ２１より右側出隅立ち上がり面２４ｂが突出している分だけ大きくなり、その最大値はＷ２２（＞Ｗ２１）となる。
そして、組合せ水切ＫＭ１、ＫＭ１’と同様に、右側出隅立ち上がり面３４ｂの左側出隅立ち上がり面４４ａ側の端縁から、左側入隅立ち上がり面４４ａの右側入隅立ち上がり面４４ｂ側の端縁までの距離ｌ２は、第２の重なり幅ｗ２２（第１の重なり幅ｗ２１）の変化に伴って変化し（図２８（ａ）参照）、第２の重なり幅ｗ２２（第１の重なり幅ｗ２１）が最大となったときに、最小値Ｌ２となる（図２８（ｂ）参照）。
【００３７】
図２９は、組合せ水切ＫＭ２をオーバーハングのせり出し部分の出隅と入隅に取り付けられた状態の斜視図であり、図中、ＯＨはせり出し部分、Ｆ２１は第１被取付面、Ｆ２２は第２被取付面、Ｆ２３は第３被取付面、ＤＳ２は出隅、ＩＳ２は入隅であり、図において、Ｘは第２被取付面Ｆ２２の水平方向に沿った方向、Ｙは、第１被取付面Ｆ２１（第３被取付面Ｆ２３）の水平方向に沿った方向、Ｚは水平面と垂直方向である。
図２９に示すように、せり出し部分ＯＨは、図１５に示す土台ＦＤと同様に、第１被取付面Ｆ２１と、第１被取付面Ｆ２１に直交する第２被取付面Ｆ２２と、第２被取付面Ｆ２２に直交する第３被取付面Ｆ２３を備え、第１被取付面Ｆ２１と第２被取付面Ｆ２２の直交する部分が出隅ＤＳ２となり、第２被取付面Ｆ２２と第３被取付面Ｆ２３の直交する部分が入隅ＩＳ２となり、出隅ＤＳ２と入隅ＩＳ２は近接している。
せり出し部分ＯＨの出隅ＤＳ２には、組合せ水切ＫＭ２の出隅用水切３が取り付けられ、せり出し部分ＯＨの入隅ＩＳ２には、組合せ水切ＫＭ２の入隅水切４が取り付けられる。
具体的には、組合せ水切ＫＭ１、ＫＭ１’と同様に、出隅用水切３の左側出隅立ち上がり面３４ａが、木ねじ等により第１被取付面Ｆ２１に取付固定され、入隅用水切４の右側入隅立ち上がり面４４ｂが、木ねじ等により第３被取付面Ｆ２３に取付固定される。
また、組合せ水切ＫＭ１’と同様に、出隅用水切３の右側出隅立ち上がり面３４ｂと入隅用水切４の左側入隅立ち上がり面４４ａの重なり幅（第２の重なり幅ｗ２２）は大きいから、第２の重ね合わせ部分ＯＬ２２に木ねじ等がねじ込まれ、右側出隅立ち上がり面３４ｂと左側入隅立ち上がり面４４ａが同時に第２被取付面Ｆ２２に取付固定され、これにより取付作業の負荷が軽減される。
組合せ水切ＫＭ２をせり出し部分ＯＨに取り付けるに際しては、組合せ水切ＫＭ１、ＫＭ１’と同様に、組合せ水切ＫＭ２において、右側出隅立ち上がり面３４ｂの端縁から左側入隅立ち上がり面４４ａの端縁までの距離ｌ２が、第２被取付面Ｆ２２のＸ方向の長さと一致するように、第１の重なり幅ｗ２１（第２の重なり幅ｗ２２）が調整される。
この場合、組合せ水切ＫＭ２が取り付けられるせり出し部分ＯＨとしては、土台ＦＤと同様に、第２被取付面Ｆ２２のＸ方向の長さが４０ｍｍ〜２００ｍｍの出隅ＤＳ２と入隅ＩＳ２が近接したせり出し部分が好ましい。
【００３８】
［水切本体］
図３０は、土台に使用される組合せ水切ＫＭ１、ＫＭ１’と組み合わせて使用される水切本体の斜視図であり、図中、５は水切本体、５０は本体基台、５１は上面、５２は前面、３３は底面、５３ｆは傾斜面、５４は立ち上がり面である。
図３０に示すように、水切本体５は、本体基台５０と立ち上がり面４４から構成され、
本体基台５０は、上面５１、前面５２及び底面５３から構成されている。
底面５３の前面５２側は、下方に傾斜した傾斜面５３ｆとなって、立ち上がり面５４、出隅基台５０に沿って流れ落ちる水滴が、底面５３側に回り込まないようにされている。
水切本体５は、組合せ水切ＫＭ１、ＫＭ１’のうち、出隅用水切１の出隅基台１０の左側の端部に形成される左側出隅開口端部や、入隅用水切２の入隅基台２０の右側の端部に形成される右側入隅開口端部に嵌め込まれて使用される。
また、オーバーハングのせり出し部分に使用される組合せ水切ＫＭ２についても、本体基台、上面、前面、底面、立ち上がり面等から構成される水切本体（図示せず）が、出隅用水切３や入隅用水切４と組み合わせて使用される。
【産業上の利用可能性】
【００３９】
本発明の出隅用水切、入隅用水切、組合せ水切は、出隅と入隅が近接した土台やオーバーハングのせり出し部分の被取付面に取り付けられて使用される。
【符号の説明】
【００４０】
１、１’  出隅用水切
２  入隅用水切
３  出隅用水切
４  入隅用水切
５  水切本体
１０  出隅基台
１１  上面
１１ａ  左側上面
１１ｂ  右側上面
１１ｃ  中央上面
１２  前面
１２ａ  左側前面
１２ｂ  右側前面
１２ｂｔ  端縁
１２ｃ  中央前面
１３  底面
１３ａ  左側底面
１３ｂ  右側底面
１３ａｆ、１３ｂｆ  傾斜面
１４、１４’  出隅立ち上がり面
１４ａ、１４ａ’  左側出隅立ち上がり面
１４ｂ、１４ｂ’  右側出隅立ち上がり面
１４ｃ、１４ｃ’  折り重ね面
１５  右側出隅開口端部
２０  入隅基台
２１  上面
２１ａ  左側上面
２１ｂ  右側上面
２２  前面
２２ａ  左側前面
２２ｂ  右側前面
２３  底面
２３ａ  左側底面
２３ｂ  右側底面
２３ａｆ、２３ｂｆ  傾斜面
２４  入隅立ち上がり面
２４ａ  左側入隅立ち上がり面
２４ｂ  右側入隅立ち上がり面  
２５  左側入隅開口端部  
３０  出隅基台
３１  上面
３１ａ  左側上面
３１ｂ  右側上面
３２  前面
３２ａ  左側前面
３２ｂ  右側前面
３２ｂｔ  端縁
３３  底面
３３ａ  左側底面
３３ａｔ  端縁
３３ｂ  右側底面
３３ａｆ、３３ｂｆ  傾斜面
３３ａｒ、３３ｂｒ  直立面
３４  出隅立ち上がり面
３４ａ  左側出隅立ち上がり面
３４ｂ  右側出隅立ち上がり面
３４ｃ  折り重ね面
３５  右側出隅開口端部であり
４０  入隅基台
４１  上面
４１ａ  左側上面
４１ｂ  右側上面
４２  前面
４２ａ  左側前面
４２ｂ  右側前面
４３  底面
４３ａ  左側底面
４３ａｔ  端縁
４３ｂ  右側底面
４３ａｆ、４３ｂｆ  傾斜面
４３ａｒ、４３ｂｒ  直立面
４４  入隅立ち上がり面
４４ａ  左側入隅立ち上がり面
４４ｂ  右側入隅立ち上がり面
４５  左側入隅開口端部であり、
５０  本体基台
５１  上面
５２  前面
３３  底面
５３ｆ  傾斜面
５４  立ち上がり面
ＫＭ１、ＫＭ１’  組合せ水切
ＫＭ２  組合せ水切
ＯＬ１１、ＯＬ２１  第１の重ね合わせ部分
ＯＬ１２、ＯＬ１２’、ＯＬ２２  第２の重ね合わせ部分
ｗ１１、ｗ２１  第１の重なり幅
ｗ１２、ｗ１２’、ｗ２２  第２の重なり幅
ＦＤ  土台
ＯＨ  せり出し部分
Ｆ１１、Ｆ２１  第１被取付面
Ｆ１２、Ｆ２２  第２被取付面
Ｆ１３、Ｆ２３  第３被取付面
ＤＳ１、ＤＳ２  出隅
ＩＳ１、ＩＳ２  入隅
ｙ１１ａ、ｙ１１ｂ、ｙ１２ａ〜ｙ１２ｃ、ｙ１３ａ、ｙ１３ｂ、ｙ１４ａ、ｙ１４ｂ  横折線
ｙ２１ａ、ｙ２１ｂ、ｙ２２ａ、ｙ２２ｂ、ｙ２３ａ、ｙ２３ｂ、ｙ２４ａ、ｙ２４ｂ  横折線
ｔ１１〜ｔ１３  縦折線
ｔ２１  縦折線
【要約】
【課題】出隅と入隅が近接した土台やせり出し部分の被取付面に、水切の長さの調整を行うことなく容易に連続した水切が取り付けられるようにする。
【解決手段】入隅と近接した出隅に取り付けられる出隅用水切１であって、出隅基台１０と出隅立ち上がり面１４を備え、出隅基台１０は、左側上面１１ａ、右側上面１１ｂ、左側前面１２ａ、右側前面１２ｂ、底面１３を備え、出隅立ち上がり面１４は、左側出隅立ち上がり面１４ａと、右側出隅立ち上がり面１４ｂを備え、出隅基台１０の右側上面１１ｂと右側前面１２ｂと底面１３で形成される右側出隅開口端部１５が、第１の重なり幅をもって、入隅用水切２の入隅基台２０の左側上面２１ａと左側前面２２ａと底面２３で形成される左側入隅開口端部２５に嵌め込まれ、右側出隅立ち上がり面１４ｂが入隅用水切２の左側入隅立ち上がり面２４ａと第２の重なり幅をもって重なるようになっている出隅用水切１。
【選択図】図１【図１】
0006736143.tif 000002
【図２】
0006736143.tif 000003
【図３】
0006736143.tif 000004
【図４】
0006736143.tif 000005
【図５】
0006736143.tif 000006
【図６】
0006736143.tif 000007
【図７】
0006736143.tif 000008
【図８】
0006736143.tif 000009
【図９】
0006736143.tif 000010
【図１０】
0006736143.tif 000011
【図１１】
0006736143.tif 000012
【図１２】
0006736143.tif 000013
【図１３】
0006736143.tif 000014
【図１４】
0006736143.tif 000015
【図１５】
0006736143.tif 000016
【図１６】
0006736143.tif 000017
【図１７】
0006736143.tif 000018
【図１８】
0006736143.tif 000019
【図１９】
0006736143.tif 000020
【図２０】
0006736143.tif 000021
【図２１】
0006736143.tif 000022
【図２２】
0006736143.tif 000023
【図２３】
0006736143.tif 000024
【図２４】
0006736143.tif 000025
【図２５】
0006736143.tif 000026
【図２６】
0006736143.tif 000027
【図２７】
0006736143.tif 000028
【図２８】
0006736143.tif 000029
【図２９】
0006736143.tif 000030
【図３０】
0006736143.tif 000031